(57)【要約】  損傷したおよび／または空気の抜けた膨張可能物品（例えば、パンクしたタイヤおよび／またはフラットタイヤ）を修理するおよび／または膨張させるための装置は、シーラント組成物を受容し、分与するために保持するための容器、および上記容器に着脱可能に接続可能なコンプレッサーアセンブリを含む。上記容器は、これと関連付けられた、容器から損傷したおよび／または空気の抜けた膨張可能物品へとシーラント組成物を制御して分与することを可能にするバルブアセンブリを有する。上記容器は、それぞれの第１の位置／構成と第２の位置／構成との間で漸進的にかつ選択的に移動可能である。上記第１の位置／構成において、上記容器は、上記コンプレッサーアセンブリに対して実質的に平行に配置され、上記第２の位置／構成において、上記容器は、上記コンプレッサーアセンブリに対して実質的に直角に配置される。上記第１のおよび第２の位置／構成は、それぞれ、上記容器からの上記シーラント組成物を保管および分与する位置に相当する。
2019505419.tif 000002
【特許請求の範囲】
【請求項１】
パンクしたタイヤおよび／またはフラットタイヤのような損傷したおよび／または空気の抜けた膨張可能物品を修理するおよび／または膨張させるための装置であって、前記装置は、
シーラント組成物を受容し、分与するために保持するための容器；ならびに
前記容器に着脱可能に接続可能なコンプレッサーアセンブリ、
を含み、
ここで前記容器は、これと関連付けられた、前記容器から前記損傷したおよび／または空気の抜けた膨張可能物品へと、前記シーラント組成物を制御して分与することを可能にするバルブアセンブリを有し；そして
ここで前記容器は、それぞれの第１の位置／構成と第２の位置／構成との間で漸進的にかつ選択的に移動可能であり、前記第１の位置／構成は、前記容器が前記コンプレッサーアセンブリに対して実質的に平行に配置される場合であり、前記第２の位置／構成は、前記容器が前記コンプレッサーアセンブリに対して実質的に直角に配置される場合であり、前記第１および第２の位置／構成は、それぞれ、前記容器からの前記シーラント組成物の保管位置および分与位置に相当する、装置。
【請求項２】
前記容器は、一方の末端において閉じられた本体部分を含み、その他方の開放末端から実質的に垂直に延びる首部分を有し、前記容器の前記首部分は、使用中に、前記バルブアセンブリを受容し、着脱可能に保持するように適合される、請求項１に記載の装置。
【請求項３】
前記バルブアセンブリは、前記容器の前記首部分の内部に着脱可能に配置され、前記コンプレッサーアセンブリと流動接続状態にあるように適合される、請求項２に記載の装置。
【請求項４】
前記バルブアセンブリは、前記容器の前記首部分に着脱可能に接続されるように適合される本体を含む、請求項３に記載の装置。
【請求項５】
前記本体は、前記容器の前記首部分上にその軸方向の寸法のうちの少なくとも一部に沿って延びる複数のねじスジに相補的な形状の複数のねじスジを含む、請求項４に記載の装置。
【請求項６】
前記本体は、成形された刻み目または溝を含み、各々、その内部に密閉手段を受容し、着脱可能に保持するように適合される、請求項４または５に記載の装置。
【請求項７】
密閉手段によってその最上端において密閉される前記本体の上側表面から実質的に垂直に突出する中空部材を含む、請求項４〜６のいずれか１項に記載の装置。
【請求項８】
前記中空部材は、前記バルブアセンブリと前記容器の前記首部分との間に挟まれた成形挿入部の一部を形成する、請求項７に記載の装置。
【請求項９】
前記バルブアセンブリの前記本体は、そこを貫通して延び、そして好ましくはその実質的に中心に、前記中空部材と流動接続状態にある管を有する、請求項８に記載の装置。
【請求項１０】
前記バルブアセンブリは、これと関連付けられたコネクターアセンブリを有し、前記コネクターアセンブリは回転部材または蝶番部材を含み、前記部材は、これと関連付けられ、前記コネクターアセンブリの閉じた末端を横切って延びる第１の中空チューブおよび第２の中空チューブを有する、請求項１〜９のいずれか１項に記載の装置。
【請求項１１】
前記装置を収容するためのケースのそれぞれの仕切りの反対側から側方に延びるニップルの対を含み、前記ニップルの対のうちの第１のものは、前記コンプレッサーアセンブリに対する着脱可能な接続を可能にし、前記ニップルの対のうちの第２のものは、ホースに対する着脱可能な接続を可能にし、翻って、前記膨張可能物品に着脱可能に接続されることを可能にする、請求項１０に記載の装置。
【請求項１２】
前記容器が前記第１の位置／構成にある場合の前記コンプレッサーの作動は、前記膨張可能物品の膨張または再膨張のために、前記第１の中空チューブを通過して空気が流れることを可能にする、請求項１０に記載の装置。
【請求項１３】
前記容器が前記第２の位置／構成にある場合の前記コンプレッサーの作動は、空気およびシーラント組成物の混合物を、前記容器から前記膨張可能物品へと分与するために、前記第２の中空チューブを通過して空気が流れることを可能にする、請求項１０に記載の装置。
【請求項１４】
前記バルブアセンブリと関連付けられたコネクターアセンブリは、前記容器の前記首部分へと着脱可能に接続されるように適合された本体を含む、請求項１に記載の装置。
【請求項１５】
前記本体は、前記容器の前記首部分上にその軸方向の寸法のうちの少なくとも一部に沿って延びる複数のねじスジに相補的な形状の複数のねじスジを含む、請求項１４に記載の装置。
【請求項１６】
前記コネクターアセンブリの前記本体は、その軸方向に延びる第１の通路を含み、前記第１の通路は、一方の末端において、前記コンプレッサーアセンブリに対する着脱可能な接続を可能にする手段で終わる、請求項１４または１５に記載の装置。
【請求項１７】
前記コネクターアセンブリは、使用中に、前記コネクターアセンブリの前記本体の側方の実質的にチューブ状の延長部と流動接続状態にあるように、第２の通路を含み、ここで前記側方の延長部は、ホースに対する着脱可能な接続を可能にする手段を含み、翻って、前記膨張可能物品に着脱可能に接続されることを可能にする、請求項１６に記載の装置。
【請求項１８】
前記本体は、成形された刻み目または溝を含み、各々、その内部に密閉手段を受容し、着脱可能に保持するように適合される、請求項１４〜１７のいずれか１項に記載の装置。
【請求項１９】
密閉手段によってその最上端において密閉される前記本体の上側表面から実質的に垂直に突出する中空延長部を含む、請求項１４〜１８のいずれか１項に記載の装置。
【請求項２０】
前記中空延長部は、前記バルブアセンブリと前記容器の前記首部分との間に挟まれた成形挿入部の一部を形成する、請求項１０に記載の装置。
【請求項２１】
前記容器が前記第２の位置／構成にある場合の前記コンプレッサーアセンブリの作動は、空気およびシーラント組成物の混合物を、前記容器から前記膨張可能物品へと分与するために、前記第１のおよび第２の通路を通って空気を流動させる、請求項１７に記載の装置。
【請求項２２】
電子式マイクロコンタクトスイッチのようなスイッチを含み、前記スイッチの作動は、前記コンプレッサーアセンブリを機能させ、そしてそれによって、前記容器が前記第２の位置／構成にある場合にのみ、前記容器からのシーラント組成物の排出を可能にする、請求項１〜２１のいずれか１項に記載の装置。
【請求項２３】
前記スイッチは、前記容器を前記第２の位置／構成へと動かすことによって作動される、請求項２２に記載の装置。
【請求項２４】
前記バルブアセンブリは、アルミニウム誘導シールを含む、請求項１〜５のいずれか１項に記載の装置。
【請求項２５】
前記コンプレッサーアセンブリは、これと関連付けられた、動力源への接続を可能にする手段を有し、前記接続手段は、巻き取り式コードまたは動力コンジットの形態にあり、前記コードまたはコンジットは、その一方の末端において、電気エネルギー／電力源への接続を可能にするアダプター手段を有する、請求項１〜２４のいずれか１項に記載の装置。
【請求項２６】
パンクしたタイヤおよび／またはフラットタイヤのような損傷したおよび／または空気の抜けた膨張可能物品を修理するおよび／または膨張させるためのキットであって、前記キットは、
シーラント組成物を受容し、分与するために保持するための容器；および
前記容器に着脱可能に接続可能なコンプレッサーアセンブリ；
を含み、
ここで前記容器は、これと関連付けられた、前記シーラント組成物を、前記容器から前記損傷したおよび／または空気の抜けた膨張可能物品へと制御して分与することを可能にするバルブアセンブリを有し；そして
ここで前記容器は、それぞれの第１の位置／構成と第２の位置／構成との間で漸進的にかつ選択的に移動可能であり、前記第１の位置／構成は、前記容器が前記コンプレッサーアセンブリに対して実質的に平行に配置される場合であり、前記第２の位置／構成は、前記容器が前記コンプレッサーアセンブリに対して実質的に直角に配置される場合であり、前記第１および第２の位置／構成は、それぞれ、前記容器からの前記シーラント組成物の保管位置および分与位置に相当する、キット。
【請求項２７】
前記容器および前記コンプレッサーアセンブリを収容するためのケースを含み、前記ケースは、底部セクションに蝶番式に接続される頂部セクションを含む、請求項２６に記載のキット。
【請求項２８】
前記頂部セクションは、ａ）開口部であって、前記開口部を通して前記容器が見られ得る開口部；開口部であって、前記開口部を通して圧力ゲージが見られ得る開口部；前記コンプレッサーアセンブリのオン／オフスイッチを収容するための凹部、のうちの１またはこれより多くを含む、請求項２７に記載のキット。
【請求項２９】
前記頂部セクションは、空洞または凹部であって、その中に動力源への接続を可能にする手段のアダプター手段を受容するための空洞または凹部を含む、請求項２６または２７に記載のキット。
【請求項３０】
前記ケースの前記頂部セクションは、少なくとも２つの部分へと分割され、前記頂部セクションの前記２つの部分のうちの少なくとも一方は、前記底部セクションへと蝶番式に接続され、前記容器へのアクセスを可能にするために前記容器の上に開放可能である、請求項２７〜２９のいずれか１項に記載のキット。
【請求項３１】
前記ケースの前記底部セクションは、前記膨張可能物品に着脱可能に接続されるホースの少なくとも一部を収容するための凹部を含む、請求項２７〜３０のいずれか１項に記載のキット。
【請求項３２】
前記コンプレッサーアセンブリへの着脱可能な接続およびホースへの着脱可能な接続を可能にし、翻って、前記膨張可能物品に着脱可能に接続されることを可能にするニップルの対を有するクレードルを含む、請求項２６〜３１のいずれか１項に記載のキット。
【請求項３３】
前記バルブアセンブリと関連付けられたコネクターアセンブリは、前記容器の首部分に着脱可能に接続されるように適合された本体を含み、前記コネクターアセンブリは、前記コネクターアセンブリの閉じた末端を横切って延びる第１の中空チューブおよび第２の中空チューブを含み、前記第１のおよび第２の中空チューブは、前記本体に対して、垂直に、または実質的に垂直にかつ垂直に間隔を空けて、または実質的に垂直に整列される、請求項２６〜３２のいずれか１項に記載のキット。
【発明の詳細な説明】
【技術分野】
【０００１】
本発明は、一般用語において、損傷した膨張可能物品（例えば、輸送手段用のパンクしたタイヤまたはフラットタイヤのような）の密閉／再密閉およびその後の再膨張における使用のための改善された装置に関する。本発明は、より具体的には、しかし排他的ではなく、キットの形態にある改善された装置に関し、上記キットは、主要構成要素として、このような損傷したタイヤを再密封して／修理して、その後のその再膨張を可能にし得る流体の補給物／容器、ならびに上記損傷したタイヤへのこのような流体の注入のための、およびその再膨張を可能にするために空気の注入のための手段を含む。
【背景技術】
【０００２】
発明の背景
任意の所定のタイプの車輪のある輸送手段は、１またはこれより多くの車輪のパンクを被りやすい。一端パンクが起こると、限りある期間内に、その直接関連するタイヤがもはや使用に適さず、その直接関連する輸送手段を適切に支持することができないように、パンクの性質および位置に依存して、劇的にまたは漸進的に、いずれにしてもタイヤ内の圧力は低下する。
【０００３】
このような状況が生じる場合、その損傷した／空気の抜けたタイヤが、現場で修理されるか、その後の再膨張および再使用を可能にするか、または代わりにその輸送手段から実際に外されかつスペアタイヤと一般にいわれるものに交換されて、後日、その損傷したタイヤの修理を可能にするかのいずれかが必要になる。
【０００４】
これらの２つの代替手段のうちのどれが追求されるかに関わらず、その目的は、その輸送手段を、可能な限り短時間でかつ可能な限り最小限の努力で使用可能な状態へと修繕することである。
【０００５】
近年になって、この一般的なタイプの装置を提供するにあたって多くの試みがなされてきた。これらのうちの１つは、本出願人の米国特許第８，６４０，７４４号に開示される。本発明は、小型であり、よって使用中でない場合には容易に保管できるが、操作するのが極めて単純であり、操作者側で必要とされる物理的努力がほとんどない装置をキットの形態で提供することによって、その米国特許の装置を上回る改善を提供しようとする。よって、本発明に従う装置は、提案される使用者の年齢、性別および／または物理的能力に拘わらず、直ぐに使用するのに向いている。
【発明の概要】
【発明が解決しようとする課題】
【０００６】
本発明の目的
本発明の好ましい目的は、損傷したおよび／または空気の抜けた膨張可能物品、特に、パンクしたタイヤおよび／またはフラットタイヤの密閉／再密閉、およびその後の再膨張のための、先行技術と関連した問題および不利益を実質的に克服するか、そうでなくても、上記問題および不利益を全体としてとり除く、および／または有用な商業的代替物を提供する装置を提供することである。
【課題を解決するための手段】
【０００７】
発明の要旨
本発明は、パンクしたタイヤを密閉または修理し、その後、再膨張させるための簡単な方法およびそのための装置を提供する。本発明に従う装置は、キットの形態にあり、既存の方法および装置と関連する欠点および不利益を克服することが意図される。本発明に従うキットは、小型であり（使用中でない場合の容易な保管に向いている）、完全に再使用可能であり、操作するのに極めて単純かつ効果的である。
【０００８】
本発明の一局面によれば、しかし必ずしも最も広い局面ではないが、損傷したおよび／または空気の抜けた膨張可能物品（例えば、パンクしたタイヤおよび／またはフラットタイヤ）の修理および／または膨張のための装置が提供され、上記装置は、
シーラント組成物を受容し、分与するために保持するための容器；ならびに
上記容器に着脱可能に接続可能なコンプレッサーアセンブリ：
を含み、
ここで上記容器は、これと関連付けられた、上記容器から上記損傷したおよび／または空気の抜けた膨張可能物品へと、上記シーラント組成物を制御して分与することを可能にするバルブアセンブリを有し、そしてここで上記容器は、それぞれの第１の位置／構成と第２の位置／構成との間で漸進的にかつ選択的に移動可能であり、上記第１の位置／構成は、上記コンプレッサーアセンブリに対して実質的に平行に配置される場合であり、上記第２の位置／構成は、上記コンプレッサーアセンブリに対して実質的に直角に配置される場合であり、上記第１および第２の位置／構成は、それぞれ、上記容器からの上記シーラント組成物の保管位置および分与位置に相当する。
【０００９】
その配置は、上記シーラント組成物の容器が、その第１の保管位置または構成にある場合に、その後に、上記コンプレッサーの作動は、空気が上記バルブアセンブリから分与されることのみを可能にするようにする。他方で、その同じ容器が、その第２の、場合によっては直立した分与位置へと回転される場合、上記コンプレッサーの作動は、タイヤまたは同様の膨張可能物品へと注入されるように、シーラント組成物および空気の分与を生じる。
【００１０】
適切には、上記容器は、一方の末端で閉じられた本体部分を含み、その他方の開放末端から実質的に垂直に延びる首部分を有し、上記容器の上記首部分は、使用中に、上記バルブアセンブリを受容し、着脱可能に保持するように適合される。
【００１１】
適切なことには、上記バルブアセンブリは、上記容器の上記首部分の内部に着脱可能に配置され、上記コンプレッサーアセンブリと流動接続状態にあるように適合される。
【００１２】
適切なことには、上記コンプレッサーアセンブリは、これと関連付けられた、動力源への接続を可能にする手段を有し、上記接続手段は、巻き取り式コードまたは動力コンジットの形態にあり、上記コードまたはコンジットは、その一方の末端において、電気エネルギー／電力源への接続を可能にするアダプター手段を有する。
【００１３】
適切なことには、上記バルブアセンブリは、これと関連付けられたコネクターアセンブリを有し、上記コネクターアセンブリは、回転部材または蝶番部材を含み、上記部材は、これと関連付けられ、上記コネクターアセンブリの閉じた末端を横切って延びる第１の中空チューブおよび第２の中空チューブを有する。
【００１４】
適切なことには、上記装置は、上記装置を収容するためのケースのそれぞれの仕切りの反対側から側方に延びるニップルの対を含み、上記ニップルの対のうちの第１のものは、上記コンプレッサーアセンブリに対する着脱可能な接続を可能にし、上記ニップルの対のうちの第２のものは、ホースに対する着脱可能な接続を可能にし、翻って、上記膨張可能物品に着脱可能に接続されることを可能にする。
【００１５】
好ましくは、上記容器が上記第１の位置／構成にある場合の上記コンプレッサーの作動は、上記膨張可能物品の膨張または再膨張のために、上記第１の中空チューブを通過して空気が流れることを可能にする。
【００１６】
好ましくは、上記容器が上記第２の位置／構成にある場合の上記コンプレッサーの作動は、空気およびシーラント組成物の混合物を、上記容器から上記膨張可能物品へと分与するために、上記第２の中空チューブを通過して空気が流れることを可能にする。
【００１７】
いくつかの実施形態において、上記バルブアセンブリと関連付けられたコネクターアセンブリは、上記容器の上記首部分に着脱可能に接続されるように適合された本体を含む。
【００１８】
適切なことには、上記コネクターアセンブリの上記本体は、その軸方向に延びる第１の通路を含み、上記第１の通路は、一方の末端において、上記コンプレッサーアセンブリに対する着脱可能な接続を可能にする手段で終わる。
【００１９】
適切なことには、上記コネクターアセンブリは、使用中に、上記コネクターアセンブリの上記本体の側方の実質的にチューブ状の延長部と流動接続状態にあるように、第２の通路を含み、ここで上記側方の延長部は、ホースに対する着脱可能な接続を可能にする手段を含み、翻って、上記膨張可能物品に着脱可能に接続されることを可能にする。
【００２０】
本発明のさらなる局面および／または特徴は、以下の説明から明らかになる。
【００２１】
本発明がより明確に理解され得、そして実践的な効果をもたらし得るために、本発明に従う装置の好ましい実施形態に対する言及がここで行われる。続く説明は、非限定的な例によって与えられるに過ぎず、添付の図面を参照している。
【図面の簡単な説明】
【００２２】
【図１】図１は、本発明に従う装置のその保管構成にある上から見た斜視図である。
【図２】図２は、図１の装置の、その装置のケースがその内容物の使用を可能にするために開いた状態にある上から見た斜視図である。
【図３】図３は、種々の構成要素をケースの中にそれらが保管された位置で示す、図１の装置の上面図である。
【図４】図４は、その操作／分与する位置／構成にあるシーラント組成物のような流体の容器と、本発明に従う装置全体の上から見た斜視図である。
【図５】図５は、本発明に従う装置のケーシング中に位置した場合の流体の容器の頂部の拡大断面図である。
【図６】図６は、図４に類似する容器をその直立した分与位置／構成で示す上からの図である。
【図７】図７は、図６の線７−７に沿って切り取った図６の装置の断面の端面図である。
【図８】図８は、図７の装置に沿って切り取った拡大断面図である。
【図９】図９は、その直立した分与構成にあるシーラント組成物のような流体の容器と、本発明に従う装置の側面断面図である。
【図１０】図１０は、図９のバルブアセンブリの拡大図である。
【図１１】図１１は、図９に類似するが、その水平なまたは保管位置／構成にある容器を示す図である。
【図１２】図１２は、図１１の容器のバルブアセンブリの拡大図である。
【図１３】図１３は、バルブアセンブリから分離した容器を示す、本発明に従う装置の末端の上から見た斜視図である。
【図１４】図１４は、図１３に類似するが、バルブアセンブリに接続された位置にある容器を示す図である。
【図１５】図１５は、本発明に従う装置のバルブアセンブリの上から見た斜視図である。
【図１６】図１６は、本発明に従うコネクターアセンブリのさらなる実施形態の代表的な模式的断面図である。
【図１７】図１７は、本発明の別の実施形態に従う装置の、その保管構成にある上から見た斜視図である。
【図１７Ａ】図１７Ａは、図１７に示される装置のケースのセクションを蝶番式に一緒に取り付けるための蝶番の正面から見た斜視図である。
【図１７Ｂ】図１７Ｂは、図１７Ａに示される蝶番の後ろから見た斜視図である。
【図１８】図１８は、タイヤに対する接続のためのホースを収容するための凹部を示す図１７の装置の下面図である。
【図１９】図１９は、容器に接続された位置にあるコネクターアセンブリおよびバルブアセンブリの代替の実施形態の上から見た斜視図である。
【図２０】図２０は、容器に接続された位置にあるコネクターアセンブリおよびバルブアセンブリのさらなる実施形態の上から見た斜視図である。
【図２１】図２１は、回転または蝶番様式でコネクターアセンブリおよびバルブアセンブリを収容するためのクレードルの上から見た斜視図である。
【図２２】図２２は、回転または蝶番様式でコネクターアセンブリおよびバルブアセンブリを収容するためのクレードルの上から見た斜視図である。
【図２３】図２３は、図２２に示されるクレードルによって収容された図２０に示されるコネクターアセンブリおよびバルブアセンブリの一部の断面図である。
【図２４】図２４は、その保管構成にある装置の内容物を示す、ケースの頂部セクションが外された状態にある図１７に示される装置の上面図である。
【発明を実施するための形態】
【００２３】
好ましい実施形態の説明
図面で示されるように、本発明は、小型の様式でかつ概して１と指定されるケース内に保管されて、例えば、輸送手段のタイヤである損傷したまたは空気の抜けた膨張可能物品を準備および再密閉するために必要とされる装置を提供する。小型の容易にアクセス可能な様式でケース１の内部に位置するかまたは保持されるために、キットまたは装置の主要構成要素、すなわち、必要に応じておよび必要な場合に、任意の適切なタイプのシーラント組成物の補給物を分与するために、受容し、着脱可能に保持するための容器１００（上記容器１００は、これと関連付けられた、バルブアセンブリ２００を有する）、コンプレッサー３００、使用中に、シガーソケット（ｃｉｇａｒｅｔｔｅ  ｌｉｇｈｔｅｒ  ｏｕｔｌｅｔ）または輸送手段の等価なコンセントへと挿入されることが意図されたアダプター４００（これは、コンプレッサー３００と電気的に接続している）、使用中に、タイヤバルブに接続されるホース５００、およびコネクターアセンブリ６００（これに、容器１００および関連付けられたバルブアセンブリ２００が接続されるべきである）がある。この実施形態において、全てのこれら構成要素は、本明細書以降より詳細に記載され、適切に成形された仕切りによって形成されるケース１の区画の内部に収容され、上記仕切りは、ケースと一体化して形成されるか、または代わりに、使用中に、ケースの中に取り外し可能にかつ選択的に位置するように適合されているかのいずれかであり得る。
【００２４】
本発明によれば、シーラント組成物の容器１００は、好ましくは、コネクターアセンブリ６００とねじで接続された状態にあるべきである。その配置は、簡単に言えば、容器１００が平らに（例えば、図２および図３を参照のこと）、かつコンプレッサー３００に対して平行に横たわっている場合、シーラント組成物が容器１００を出ることは不可能であることである。他方で、容器１００が、例えば、図４に示される位置へと９０°回転または旋回される場合、コンプレッサー３００は、その後、シーラント組成物が容器１００を出るように作動され得る。
【００２５】
図２および図３に最もよく示されるように、ケース１は、一方を他方へと蝶番式に（または任意の公知の様式で）接続されるそれぞれの頂部セクション２および底部セクション３を含み、各々、ケースの中に位置した成形された仕切り４および５を有する。仕切り４、５は、セクション２、３を３つの別個の明確な区画６、７および８（コンプレッサー３００およびアダプター４００を収容するための第１の区画６、容器１００を、関連付けられたバルブアセンブリ２００およびコネクターアセンブリ６００とともに収容するための第２のまたは中央の区画７、およびホース５００およびバルブコネクターを収容するための第３の区画８）へと分離するように働く。
【００２６】
流体を密閉するための容器１００は、任意の適切な材料から、およびより好ましくはプラスチック材料から構築され得、そして任意の適切な形状のものであり得る。図示される好ましい実施形態において、このような容器１００は、本体部分１０１およびその一方の末端から本体部分１０１に対して実質的に垂直に延びる首部分１０２を有する実質的に円筒形のボトルの形態にあり、その首部分１０２は好ましくは、その軸方向の寸法のうちの少なくとも一部に沿って延びる複数の外側ねじスジ１０３を含む。容器１００は、必要に応じておよび必要な場合に分与するために、シーラントあるいは例えば、本出願人の国際（ＰＣＴ）出願番号ＰＣＴ／ＡＵ２００８／００１４９９もしくはＰＣＴ／ＡＵ２００７／００１２２２、またはオーストラリア特許第２００９９０５９５２号に記載されかつ定義されるタイプの修理流体を収容することが意図される。しかし、容器１００の構築のための材料も、容器１００の中に収容されるべき修理／シーラント組成物の実際の組成も、いずれも本発明の一部を構成しないことは、理解されるべきである。
【００２７】
使用中でない、およびその保管位置にある場合、容器１００は、例えば、図２および図３に示されるように、ケース１の中で平らに、仕切り４と５との間にかつ第２のまたは中央の区画７の中に位置して横たわっている。他方で、本発明に従うキットまたは装置を使用することが必要になる場合に、容器１００は、ケース１の底部セクション３に対して、そして例えば、図４に示されるように、直立した位置へと（回転することによるように）動かされるように適合される。保管位置にある場合、本発明に従うバルブアセンブリ２００は、容器１００からの流体の漏れを防止するように働く。他方で、直立した、または活動状態もしくは位置にある場合、そのバルブアセンブリ２００は、本明細書以降でより詳細に記載される様式で、空気が容器１００に入って、その中に貯蔵された流体と混合されることを可能にする。空気および流体の混合物は、その後、バルブアセンブリ２００を通って、輸送手段の損傷したタイヤへとタイヤバルブを介して注入するためのホース５００へと出て、そのタイヤの修理を可能にする。コンプレッサー３００の継続した操作は、流体が一旦注入されると、その輸送手段のタイヤの再使用のために最終的な再膨張を可能にする。
【００２８】
ここでコンプレッサーアセンブリ３００に話を変えると、これは、好ましくは、コンプレッサーおよび関連付けられた装備のための収容として働く成形容器３０１の形態にある。好ましくは、容器３０１は、実質的に円筒形の本体セクションを含む。容器３０１は、その内部に収容された、その操作のためのコンプレッサー、モーターなど、および上記コンプレッサー、モーターなどを適切な電源に接続することを可能にする手段を含む。図示される特に好ましい実施形態において、この手段は、コードまたは電線コンジット３０２の形態をとり、コード３０２は、これと関連付けられた、その自由末端または外部末端に、任意の公知のタイプのアダプターまたはコネクター４００を有し、このアダプターまたはコネクター４００は、使用中に、シガーソケットまたは輸送手段の等価なコンセントへと着脱可能に接続可能であり得、それによって、必要に応じておよび必要な場合に、モーター、従って、コンプレッサーの作動／操作を可能にする。
【００２９】
その配置は、使用中でない場合に、コンジット３０２の引き込みを可能にする手段を含み得る。コード３０２の抜き取り／引き込みのための手段は、本発明の本質ではない。
【００３０】
ケース１の底部セクション３の第２のまたは中央の区画７は、その一方の末端に、使用中に、その中に着脱可能に位置したコネクターアセンブリ６００を有するように適合されたより狭い幅の部分を含む。コネクターアセンブリ６００は、主要構成要素として、実質的に円筒形の部材６０１（一方の末端は開放されており、他方の末端は閉じられている）を含み、これは回転または蝶番部材６０２に着脱可能に取り付け可能であり、この部材６０２は、これと関連付けられた第１の中空チューブ６０３および第２の中空チューブ６０４を含み、その閉じた末端を横切って延びる中空チューブの対を有する。第１の中空チューブ６０３は、バルブアセンブリ２００との流体連絡を提供しないのに対して、第２の中空チューブ６０４は、バルブアセンブリ２００と流体連絡を可能にする。例えば、図１３および図１４において示されるように、ケース基部または底部セクション２の中央の区画７のより狭い幅のその部分は、これと関連付けられ、その反対側から側方に延びるニップル６０５および６０６をそれぞれ有し、ニップル６０５は、コンプレッサー３００に対する着脱可能な接続を可能にし、ニップル６０６は、その後、ホース５００に対する着脱可能な接続を可能にする。回転部材または蝶番部材６０２は、任意の公知の様式でおよび任意の公知の方法を使用して、例えば、ポップリベット６０７または固定手段のいくつかの他の形態として、使用中に、より狭い幅の部分の内部に、上記部材を横切って位置するように適合される。
【００３１】
例えば、図７〜１２に示されるように、バルブアセンブリ２００は、使用中に、容器１００の首部分１０２の内部に位置するように適合される。その末端に、バルブアセンブリ２００の本体２０１は、好ましくは、容器１００のその軸方向の寸法のうちの少なくとも一部に沿って延びるねじスジ１０３に相補的な形状の複数のねじスジ２０２を有し得る。その本体２０１は、使用中に、挿入部２０３を介在して、容器１００の首部分１０２と関連付けられるように適合される。挿入部２０３は、任意の適切な材料から（例えば、プラスチック材料のような）構築され得る。バルブアセンブリ２００の本体２０１は、そこを貫通して延びる、好ましくは実質的にその中心に、管２０４を有する。
【００３２】
本体２０１は、適切な密閉手段（例えば、Ｏリングタイプシール２０５のような）を受容し、着脱可能に保持するように適合された成形された刻み目を含む。
【００３３】
本体２０１は、その実質的に中心に設置されかつその軸方向に延びる、管２０４と流動接続状態にある中空部材２０６をさらに含む。中空部材２０６は、その最上端部において、適切な密閉手段によって、例えば、Ｏリングタイプシール２０７として密閉される。
【００３４】
コンプレッサー３００が作動される場合、空気は、適切なホース系（ｈｏｓｉｎｇ）を介して、その後ニップル６０５を通過して流動し始める。容器１００が、例えば、図１に示されるように水平位置または保管位置にある場合、このような空気は、第１の中空チューブ６０３を通ってホース５００へと方向付けられ、ホース５００は、輸送手段のタイヤに接続される場合、その膨張または再膨張を可能にする。この位置にある場合、空気は、容器１００に方向付けることはできない。
【００３５】
しかし、容器１００がその直立した位置（例えば、図７を参照のこと）に回転された場合、それは、ニップル６０５との流体接続へと流れるコネクターアセンブリ６００の第２の中空チューブ６０４である。コンプレッサー２００が操作され続けるにつれて、そのＯリングシール２０５は、比較的上方に押しつけられ、空気がコンプレッサーを出て容器１００へと流れて、その内容物と混合されることを可能にする。その手順が継続されるにつれて、その後、Ｏリングシール２０７は、比較的下方に動き、空気およびシーラント組成物の混合物が容器１００から出て、その後、通過するために第２の中空チューブ６０４へとニップル６０６を介して、ホース系へと、そして最終的には、タイヤバルブを通ってタイヤへと移動することを可能にする。コンプレッサー３００の操作は、先ず、容器１００の内容物がタイヤへと分与／注入されるような時間まで継続され、そしてタイヤが所望の圧力へと再膨張されるような時間まで継続される。過剰膨張が偶々起こると、コンプレッサーの操作の中断は、必要とされる所望の圧力へとタイヤの空気を抜くことを可能にする。
【００３６】
先に記載された実施形態に類似の様式で、図１６の実施形態において、本体７０１（好ましくは、実質的に円筒形の形状）を含むコネクターアセンブリ（概して７００と指定される）が提供される。その配置は、容器１００の首部分１０２が、任意の適切な材料（例えば、プラスチック材料のような）から構築され得る成形挿入部７０２を介在して、使用中に、コネクターアセンブリ７００の本体７０１と関連付けられるように適合されることである。本体７０１は、その長軸方向に延びる、第１の通路７０３を有し、第１の通路７０３は、ケース１の内部に収容されたコンプレッサー３００から延びるホースなどを受容し、第１の通路７０３に対して着脱可能に保持するように適合された手段７０４で終わる。本体７０１は、成形された刻み目または溝７０５をさらに含み、各々、適切な密閉手段（例えば、Ｏリングシール７０６などのような）を受容し、その内部に着脱可能に保持するように適合される。さらなる適切な密閉手段（例えば、さらなるＯリングシール７０８のような）によってその最上端部で密閉される中空延長部７０７は、本体７０１の上面から実質的に垂直に突出している。この実施形態において、中空延長部７０７は、コネクターアセンブリと容器１００の首部分１０２との間に挟まれた成形挿入部７０２の一部を形成する。本体７０１は、使用中に、損傷した膨張可能物品（特に、タイヤ）のバルブに接続されるべき管系５００のホースまたは類似の長さのものと着脱可能に接続されるように適合された、側方の実質的にチューブ状の延長部または出口７１０で終わるさらなるまたは第２の通路７０９を含む。
【００３７】
さらに別のＯリングシール７１１が通路７０３の上端部に位置し、そのＯリングシール７１１は、上記通路７０３のためのシールを構成するように適合される。ケース１の内部に収容されたコンプレッサー３００は、通路７０３と流動接続状態にある。使用中に、側方延長部または出口７１０は、損傷したタイヤまたはフラットタイヤと流動接続状態にある。
【００３８】
コンプレッサー３００が作動される場合、空気は通路７０３へと流動し始める。圧力が強くなるにつれて、Ｏリングシール７１１は、その座から動き、通路７１１を介して容器１００へと空気が流動することを可能にし、容器１００の内容物と混合される。コンプレッサー３００が継続して操作されるにつれて、Ｏリングシール７０８は、示されるように矢印の方向に相対的に下方に押しつけられて、空気およびシーラント組成物の混合物が通路７０９へと、そしてそこから出口７１０および関連付けられたホースまたは管系５００を介してタイヤへと流動することを可能にする。コンプレッサー３００の操作は、まず、容器１００の内容物がタイヤへと分与／注入されるような時間まで継続され、そしてそのタイヤが所望の圧力（圧力ゲージ９を参照することによって決定される）へと再膨張されるような時間まで継続される。
【００３９】
本発明に従う装置は、公知のおよび使用中の要件と比較する場合に、多くの実際の利点を生じる。
【００４０】
まず、キット形態にあることによって、全ての必要な直接関連する／構成要素とともに、好ましくは、相互に連結して提供され、実際の使用または使用のための準備は、極めて単純化されている。実際に、ユーザーが行う必要があることの全ては、以下である：
（ｉ）ホース５００をタイヤバルブに接続する：
（ｉｉ）コンプレッサー３００を動力源に、アダプター４００を介して接続する；
（ｉｉｉ）容器１００をその直立した位置へと回転する；および
（ｉｖ）コンプレッサー３００を作動する。
【００４１】
さらに、その装置は、直ぐ再使用するのに向いている。一旦容器１００が空になったら、それは、ケース１から容易に外してかつ新しい充填された容器に交換するために、コネクターアセンブリ６００からねじを外すことによるように、容易に外され得る。
【００４２】
特に好ましい実施形態によれば、その装置は、例えば、任意の適切なタイプの電子式マイクロコンタクトスイッチ（示さず）のような手段を含み得、この手段は、コンプレッサー３００が機能することを可能にし、それによって、シーラント組成物の容器１００がコネクターアセンブリ６００へと接続され、第２の位置／構成（例えば、図面の図４に示されるように垂直位置）に回転された場合にのみ、シーラント組成物を容器１００から排出することを可能にするように働く。
【００４３】
これは、シーラント組成物の偶発的なまたは不注意な排出の可能性を除去する。この排出は、別の方法で、例えば、コンプレッサー３００のプラグが差し込まれたかもしくは電気的に接続された場合、および／またはコンプレッサー３００の接続オン／オフスイッチが不注意にまたは偶発的に永久的にオン位置に動かされる場合に起こり得る。
【００４４】
いくつかの配置において、例えば、コンプレッサーがタイヤを再膨張させるために使用されている場合のように、空気のみが必要とされる場合、ケース１の蝶番がつけられたふた、または頂部セクション２は、同じマイクロスイッチを作動させる。
【００４５】
本発明に従う装置は、好ましくは、このようなマイクロスイッチを、「フェイルセーフ」機構の形態で、空気ホースが全く接続されなかったか、または少なくとも、コンプレッサーのスイッチが入れられる前にタイヤバルブに適切に接続されなかったという事象において、シーラント組成物の不注意の排出の可能性を回避するために含むべきである。このようなことが起こってしまえば、その結果は、シーラント組成物の容器が最良であれば部分的に、そして最悪であれば完全に、そのユーザーが問題を実感する時間までに、排出されるということである。巻き込まれた混乱（これは掃除する必要があると思われる）を除けば、空気の抜けたまたは損傷したタイヤを密閉するために使用されるために残ったシーラント組成物は、あるとしても僅かであると思われる。
【００４６】
図面に示されない代替の配置において、バルブアセンブリは、以前に記載されたとおりのＯリングシールのシステム以外に、公知のタイプの低コストのシール（本明細書では間接的にアルミニウム誘導シールといわれる）を含み得る。このような実施形態において、容器１００は、バルブ／コネクターアセンブリに対して適切な場所にねじで取り付けられるので、このようなアルミニウム誘導シールは、切断されても、ねじで取り付けられてもよいし、または本体の一体化部分として形成され得る小さなブレード様の突出部によって穿刺されてもよく、それによって、密閉効果に勝って、容器１００への空気の侵入（コンプレッサー３００によって発生される）を可能にし、最終的には容器１００から、ニップルを介してタイヤバルブおよびタイヤへの送達のためにホース５００へと出るためにシーラント組成物と混合される。
【００４７】
他の代替の配置（例えば、図１７〜２４に示される実施形態）において、ケース１の頂部セクション２は、頂部セクション２の第１の部分２ａが、底部セクション３に対して、ケース１の第１の側面で蝶番式に開くように、対称的にまたは非対称的に２つの部分へと分割され得る。例えば、頂部セクション２は、頂部セクション２の第１の部分２ａが、容器１００に対するアクセスを可能にして、第１の末端位置／構成と第２の末端位置／構成との間で容器１００の漸進的かつ選択的動きを可能にし、そして容器１００の交換を可能にするために、容器１００の上で蝶番式に開くように、非対称的に分割され得る。
【００４８】
いくつかの好ましい配置において、頂部セクション２の第２の部分２ｂは、蝶番式で開かないように構成される。このような配置において、第２の部分２ｂは、底部セクション３に、例えば、適切なプラスチック材料で形成される１またはこれより多くの留め具（例えば、クリップまたはバックル）を介して取り付けられる。頂部セクション２の第２の部分２ｂを、蝶番式で開かないように構成することで、ユーザーが通常の使用においてコンプレッサー３００にアクセスすることを防止する。
【００４９】
ケースの１またはこれより多くの頂部セクション２ａ、２ｂを装置のケースの底部セクション３へと蝶番式に取り付けるための適切な蝶番１２の例は、図１７Ａおよび図１７Ｂに示される。蝶番１２は、ケースの１またはこれより多くの頂部セクション２ａ、２ｂにおける開口部への、およびケース１の底部セクション３における開口部への連結のために別個に形成される。
【００５０】
このような代替の配置において、頂部セクション２の第１の部分２ａは、開口部１４を含み得る。開口部１４を通して、容器１００は見られ得る一方で、頂部セクション２の第１の部分２ａは、なお閉じている。従って、一見して容器１００がケース１に存在することを見ることは可能である。容器１００が透明な材料から形成される場合、一見して容器１００が十分量のシーラント組成物を含むことを見ることも可能である。開口部１２は、好ましくは、容器１００の長さの実質的に中央から上部が開口部１２を通して見られ得るように、容器１００の長軸に沿って整列された細長い開口部である。
【００５１】
このような代替の配置において、頂部セクション２の第２の部分２ｂは、開口部（例えば、円形の開口部１６）を含み得る。この開口部を通って圧力ゲージ９が見られ得る一方で、頂部セクション２の第２の部分２ｂはなお閉じている。
【００５２】
このような代替の配置において、装置がケース１の内部からアダプターを回収する必要性なしに、コンセントへと容易にかつ迅速に接続され得るように、頂部セクション２の第２の部分２ｂは、その中にアダプター４００を受容するための空洞または凹部１８を含み得る。ケース１の側面は、アダプター４００に連結された電源コードまたは動力コンジットを保管するための空洞または凹部２０を含み得る。
【００５３】
このような代替の配置において、頂部セクション２の第２の部分２ｂは、コンプレッサー３００のためのオン／オフスイッチ１９を収容するための空洞または凹部２２を含み得る。凹部に置かれたオン／オフスイッチ１９は、そのオン／オフスイッチがケース１から突出することを防止し、従って、不適切な作動の確率を最小限にする。この配置において、コンプレッサー３００は、ケース１を開く必要なく、例えば、膨張可能物品が膨張または再膨張される必要があるが、修理される必要はない場合に、スイッチ１９を介して作動され得る。
【００５４】
図１８を参照すると、ケース１の底部セクション３は、膨張可能物品に着脱可能に接続されるホース５００の少なくとも一部を収容するための細長い凹部２４を含む。ケース１の少なくとも一部の中にホースの少なくとも一部を収容することは、ケース１の内部に、特に、ケースの内部の別個の区画の内部にホースを収容する必要性を回避することによって、装置を可能な限り小型にすることを補助する。この配置はまた、ケース１を開く必要なく、例えば、膨張可能物品が膨張または再膨張される必要があるが、修理される必要がない場合に、ホース５００が膨張可能物品に接続されることを可能にする。
【００５５】
図１９および図２０は、容器１００の首部分に接続された位置にあるコネクターアセンブリ８００、９００およびバルブアセンブリの代替の実施形態を示す。コネクターアセンブリ８００は、本体８０１、ならびにコネクターアセンブリ８００の閉じた末端と関連付けられた横切る第１のおよび第２の中空チューブ６０３、６０４を少なくとも部分的に取り囲むハウジングまたはケーシング８０２を含む。コネクターアセンブリ９００は、本明細書で記載される他の実施形態と比較して小さな本体９０１を含み、ハウジングまたはケーシング８０２が省略されており、生成するためにより少ない材料を要する、より小さなかつ軽いコネクターアセンブリを生じる。さらに、コネクターアセンブリ９００に関して、横切る第１のおよび第２の中空チューブ６０３、６０４は、本体９０１に対して垂直に、または実質的に垂直にかつ垂直に間隔を空けて、または実質的に垂直に整列される。図２４に示されるように、コネクターアセンブリ９００が、容器１００に接続され、ケース１に回転式に、例えば、以下に記載されるクレードル１１００を介して連結される場合、容器１００は、容器１００が第１の位置／構成にある場合にケース１の底部セクション３にしっかりと収容される。コネクターアセンブリ９００は、従って、可能な限り小型の装置の作製を補助する。
【００５６】
図２３をさらに参照すると、各コネクターアセンブリ８００、９００は、シール８０６を収容するために横切る第１のおよび第２の中空チューブ６０３、６０４の末端において円形の凹部８０４を含む。使用中に、空気圧は、シール８０６をバルブアセンブリのそれぞれの凹部８０４へと押し込み、改善された密封を提供する。
【００５７】
図２１および図２２を参照すると、代替の配置または実施形態において、回転または蝶番様式でコネクターアセンブリを収容するためのケース１のより狭い幅の部分は、ケース１の底部セクション３と一体的に形成されるか、または任意の適切な手段によってケース１の底部セクション３へと別個に形成されかつ取り付けられるクレードル１０００もしくはクレードル１１００の形態にある。クレードル１０００、１１００は、各々、ホース５００に対する着脱可能な接続を可能にし、翻って、上記膨張可能物品に対して着脱可能に接続されることを可能にするための第１のニップル６０５、およびコンプレッサーアセンブリに対する着脱可能な接続を可能にするための第２のニップル６０６を含む。この配置において、コンプレッサーアセンブリおよびホースは、本明細書中の図１〜１６に示される配置とは反対側に着脱可能に接続される。
【００５８】
本発明の装置の代替の配置の図２４に示される平面図は、ケースの底部セクション３の外表面にある凹部２４の中のホース５００の少なくとも一部、ならびにケース１の中の凹部１８および２０の中のそれぞれ、アダプター４００およびコードの収容を含む、ケース１の内部およびケース１についての装置の構成要素の小型配置を図示する。この配置において、膨張可能物品（例えば、輸送手段のタイヤ）に対するホース５００の接続、およびそのタイヤの膨張は、ホース５００の外側からの取り付けおよびスイッチ１９の外部からのアクセスによって、ケース１を開く必要性なしに達成され得る。頂部セクション２のセクション２ａを開くと、第１の位置／構成と第２の位置／構成との間に容器を動かして、シーラント組成物を容器１００から排出させて、タイヤを修理および膨張させることを可能にするために、容器１００に対する都合の良いアクセスが可能になる。セクション２ｂは、この時間の間に閉じたままにされ得、従って、使用する間のコンプレッサーアセンブリ３００に対するアクセスを防止する。セクション２１が開いている場合のコンプレッサーアセンブリ３００に対するアクセスはまた、仕切り１１によっても防止される。本明細書で記載される他の実施形態の成形容器３０１は、従って必要とされず、従って、構築が単純化され、装置の重量が低減される。
【００５９】
本明細書中での任意の先行技術への言及は、先行技術が技術常識の一部を形成するという自白または示唆の何らかの形態として理解されず、理解されるべきでない。
【００６０】
最後に、前述の説明が本発明の好ましい実施形態に言及するに過ぎないこと、改変に対するそれらの関連が、本発明の趣旨および範囲（その範囲は、以下の特許請求の範囲から決定されるべきである）から逸脱することなく本発明に対して可能であることは、理解されるべきである。
【図１】
2019505419.tif 000003
【図２】
2019505419.tif 000004
【図３】
2019505419.tif 000005
【図４】
2019505419.tif 000006
【図５】
2019505419.tif 000007
【図６】
2019505419.tif 000008
【図７】
2019505419.tif 000009
【図８】
2019505419.tif 000010
【図９】
2019505419.tif 000011
【図１０】
2019505419.tif 000012
【図１１】
2019505419.tif 000013
【図１２】
2019505419.tif 000014
【図１３】
2019505419.tif 000015
【図１４】
2019505419.tif 000016
【図１５】
2019505419.tif 000017
【図１６】
2019505419.tif 000018
【図１７】
2019505419.tif 000019
【図１７Ａ】
2019505419.tif 000020
【図１７Ｂ】
2019505419.tif 000021
【図１８】
2019505419.tif 000022
【図１９】
2019505419.tif 000023
【図２０】
2019505419.tif 000024
【図２１】
2019505419.tif 000025
【図２２】
2019505419.tif 000026
【図２３】
2019505419.tif 000027
【図２４】
2019505419.tif 000028
【国際調査報告】
2019505419.tif 000029
2019505419.tif 000030
2019505419.tif 000031
2019505419.tif 000032